(57)【要約】【課題】１本の通電金具で２つの電気錠を電気錠アダプターに接続でき、なおかつ、従来よりも少ない本数の信号線で接続できる２ロック電気錠システムを提供する。【解決手段】電気錠アダプター２と２つの電気錠４（＃１）、４（＃２）との間には、共通の開戸閉戸状態信号と共通の施解錠状態信号とを出力するように、２つの接点部４ａ（＃１）、４ａ（＃２）から導出した信号線Ｌ１、Ｌ２を結合した結合部５をさらに備え、結合部５と電気錠アダプター２との間を、１本の通電金具３で通線するようにしている。【選択図】図１
2005048449.tif 000002
【特許請求の範囲】
【請求項１】
電気錠駆動信号用接点と施解錠状態信号用接点と開戸閉戸状態信号用接点と有した接点部を各々に備えた２つの電気錠と、これらの電気錠を個別に施錠、解錠操作する操作器と、操作器からの２つの電気錠に対する制御信号を駆動信号に変換し上記電気錠へ送信する一方、上記電気錠の施解錠状態信号、開戸閉戸状態信号を上記操作器へ送信する電気錠アダプターとを備えた２ロック電気錠システムにおいて、
上記電気錠アダプターと上記２つの電気錠との間には、共通の開戸閉戸状態信号と共通の施解錠状態信号とを出力するように、上記２つの接点部から導出した信号線を結合する結合部をさらに備え、上記結合部と上記電気錠アダプターとの間を、１本の通電金具で通線することを特徴とした２ロック電気錠システム。
【請求項２】
請求項１において、
上記結合部は、上記一方の電気錠の開戸閉戸状態信号、施解錠状態信号を、共通の開戸閉戸状態信号、施解錠状態信号として出力するように配線されていることを特徴とする２ロック電気錠システム。
【請求項３】
請求項１において、
上記結合部では、上記一方の電気錠の開戸閉戸状態信号を、共通の開戸閉戸状態信号として出力し、上記２つの電気錠の施解錠状態信号の論理積を共通の施解錠状態信号として出力するように結合されていることを特徴とする２ロック電気錠システム。
【請求項４】
請求項１において、
上記結合部では、上記一方の電気錠の開戸閉戸状態信号を、共通の開戸閉戸状態信号として出力し、上記２つの電気錠の施解錠状態信号の論理和を共通の施解錠状態信号として出力するように結合されていることを特徴とする２ロック電気錠システム。
【請求項５】
請求項１において、
上記結合部では、上記一方の電気錠の開戸閉戸状態信号を、共通の開戸閉戸状態信号として出力し、上記共通の施解錠状態信号に代えて、上記２つの電気錠の各々の施錠信号を出力するように結合されていることを特徴とする２ロック電気錠システム。
【請求項６】
請求項１〜５のいずれかにおいて、
上記２つの電気錠は、開戸閉戸信号状態信号用接点を有さない２つの電動サムターン錠であり、
上記結合部は、上記扉センサーから出力された信号を共通の開戸閉戸状態信号として出力するように結合されていることを特徴とする２ロック電気錠システム。
【請求項７】
請求項１〜６のいずれかにおいて、
上記結合部は、一方の電気錠に内蔵されていることを特徴とする２ロック電気錠システム。
【請求項８】
請求項１〜７のいずれかにおいて、
上記電気錠アダプターは、一方の電気錠に内蔵されていることを特徴とする２ロック電気錠システム。
【発明の詳細な説明】
【技術分野】
【０００１】
本発明は、扉に取り付けた２ロック式の電気錠の施解錠を操作器から行うようにした２ロック電気錠システムの改良に関するものである。
【背景技術】
【０００２】
近年、住戸人の操作性をより向上させるために、操作器からの操作による施錠、解錠を可能とした電気錠が開発され、マンションや戸建の玄関扉にも一般利用されている。
【０００３】
従来の電気錠システムには、６線式の電気錠と２線式の操作器とを接続するために、電気錠アダプターを設置して、これにより相互の信号形式を変換するようにしたものがある。特許文献１には、この種の電気錠アダプター装置が記載されている。この６線の信号には、操作器側からの施解錠駆動信号、電気錠側からの扉開戸閉戸状態信号および施解錠状態信号が含まれる。
【０００４】
この種の電気錠システムは、１つの扉に２個の錠を設置し、各錠を別個に施錠、解錠するように構成された２ロック式のものにも応用されており、操作性のみならず防犯性にもすぐれたものとなっている。
【０００５】
図１４は、従来の２ロック式の電気錠システムの構成を示した図である。
【０００６】
図中のＤは玄関扉であり、扉Ｄには第１の電気錠１０４（＃１）と第２の電気錠１０４（＃２）が設置され、それぞれの電気錠１０４（＃１）、１０４（＃２）は別個にたとえば６線の信号線で電気錠アダプター１０２と接続され、電気錠アダプター１０２はさらに操作器１０１と接続されている。
【０００７】
また、扉Ｄと扉枠の間には、２個の電気錠１０４（＃１）、１０４（＃２）と電気錠アダプター１０２を通線するための通電金具１０３（＃１）、１０３（＃２）が設置されている。この通電金具１０３は、９線の信号線に対応したものが標準であるため、図に示すように、６線で接続される１つの電気錠１０４に対応して１本の通電金具１０３を設置していた。すなわち、計２本の通電金具を必要としていた。
【０００８】
１２線以上に対応する通電金具を開発すれば、１本の通電金具で２つの電気錠に対応させることは可能であるが、そのようにすれば、ひとまとめにした１２線以上の信号線を扉内部に通す必要があり、施工がきわめて困難になるという問題があった。
【特許文献１】特開平１０−３２５２７１号公報
【発明の開示】
【発明が解決しようとする課題】
【０００９】
本発明は、１本の通電金具で２つの電気錠を電気錠アダプターに接続でき、なおかつ、従来よりも少ない本数の信号線で接続できる２ロック電気錠システムを提供することを目的としたものである。
【００１０】
そして、その結果、扉内部の通線をよりシンプルにし、施工性を向上させることをさらなる目的としたものである。
【課題を解決するための手段】
【００１１】
上記の目的を達成するために、請求項１に記載の２ロック電気錠システムは、電気錠駆動信号用接点と施解錠状態信号用接点と開戸閉戸状態信号用接点と有した接点部を各々に備えた２つの電気錠と、これらの電気錠を個別に施錠、解錠操作する操作器と、操作器からの２つの電気錠に対する制御信号を駆動信号に変換し電気錠へ送信する一方、電気錠の施解錠状態信号、開戸閉戸状態信号を上記操作器へ送信する電気錠アダプターとを備えた２ロック電気錠システムであって、次の特徴を有している。
【００１２】
すなわち、電気錠アダプターと２つの電気錠との間には、共通の開戸閉戸状態信号と共通の施解錠状態信号とを出力するように、２つの接点部から導出した信号線を結合する結合部をさらに備え、結合部と電気錠アダプターとの間を、１本の通電金具で通線するようにしている。
【００１３】
請求項２では、結合部が一方の電気錠の開戸閉戸状態信号、施解錠状態信号を、共通の開戸閉戸状態信号、施解錠状態信号として出力するように配線されていることを特徴とする。すなわち、他方の電気錠からは開戸閉戸状態信号、施解錠状態信号を出力しないようにしている。
【００１４】
請求項３では、請求項１において、結合部が一方の電気錠の開戸閉戸状態信号を共通の開戸閉戸状態信号として出力し、２つの電気錠の施解錠状態信号の論理積を共通の施解錠状態信号として出力するように結合されていることを特徴とする。
【００１５】
請求項４では、請求項１において、結合部が一方の電気錠の開戸閉戸状態信号を共通の開戸閉戸状態信号として出力し、２つの電気錠の施解錠状態信号の論理和を共通の施解錠状態信号として出力するように結合されていることを特徴とする。
【００１６】
請求項５では、請求項１において、結合部が一方の電気錠の開戸閉戸状態信号を共通の開戸閉戸状態信号として出力し、共通の施解錠状態信号に代えて、２つの電気錠の各々の施錠信号を出力するように結合されていることを特徴とする。
【００１７】
請求項６では、請求項１〜５のいずれかにおいて、２つの電気錠は開戸閉戸信号状態信号用接点を有さない２つの電動サムターン錠であり、結合部が扉センサーから出力された信号を共通の開戸閉戸状態信号として出力するように結合されていることを特徴とする。
【００１８】
請求項７では、請求項１〜６のいずれかにおいて、結合部が一方の電気錠に内蔵されていることを特徴とする。
【００１９】
請求項８では、請求項１〜７のいずれかにおいて、電気錠アダプターが一方の電気錠に内蔵されていることを特徴とする。
【発明の効果】
【００２０】
請求項１に記載の２ロック電気錠システムは、２つの電気錠から導出された信号線をまとめる結合部を設け、この結合部により共通の開戸閉戸状態信号と共通の施解錠状態信号とを出力するようにしているので、電気錠アダプターとの間を少ない本数の信号線で接続することができ、その結果、通電金具を１つにすることができ、また、扉内部の通線をよりシンプルにし、通線工事等の施工性を向上することができる。
【００２１】
請求項２では、一方の電気錠の開戸閉戸状態信号、施解錠状態信号を、共通の開戸閉戸状態信号、施解錠状態信号として出力するように、結合部で配線されているので、簡易な形式でシンプル化と施工性向上が実現できる。
【００２２】
請求項３では、結合部が、一方の電気錠の開戸閉戸状態信号を共通の開戸閉戸状態信号として出力し、２つの電気錠の施解錠状態信号の論理積を共通の施解錠状態信号として出力するように結合しているので、簡易な形式でシンプル化と施工性向上が実現できる。
【００２３】
請求項４では、結合部が、一方の電気錠の開戸閉戸状態信号を共通の開戸閉戸状態信号として出力し、２つの電気錠の施解錠状態信号の論理和を共通の施解錠状態信号として出力するように結合しているので、簡易な形式でシンプル化と施工性向上が実現できる。
【００２４】
請求項５では、結合部が、一方の電気錠の開戸閉戸状態信号を、共通の開戸閉戸状態信号として出力し、２つの電気錠の各々の施錠信号を出力するようにしているので、簡易な形式でシンプル化と施工性向上が実現できる。また、それぞれの電気錠の施錠、解錠状態を伝送しているので、操作器側で確実に状態を検知することができ、さらに、一方の電気錠から他方の連動動作などもさせることができる。
【００２５】
請求項６は、電気錠に代えて開戸閉戸信号状態信号用接点を有さない電動サムターン錠に対応させたもので、開戸閉戸信号を出力する扉センサーをさらに備えることによって、結合部は扉センサーから出力された信号を共通の開戸閉戸状態信号として出力するように、信号線が結合されているため、電動サムターン錠と電気錠アダプターの間を、請求項１〜５と同様の信号線の形式にすることができる。
【００２６】
請求項７では、結合部が一方の電気錠に内蔵されているため、施工性を向上させることができる。
【００２７】
請求項８では、電気錠アダプターを一方の電気錠に内蔵させているため、２線式の電気錠で使用する通電金具を１つ設けるだけでよい。また、もう一方の電気錠は市販のものでも対応させることが可能となる。
【発明を実施するための最良の形態】
【００２８】
以下に、本発明の最良の実施形態について、添付図面とともに説明する。
【実施例１】
【００２９】
図１は、本発明の１実施例であるシステム構成を示したブロック図である。
【００３０】
このシステムは、２つの電気錠４（＃１）、４（＃２）と、これらの電気錠から導出された信号線Ｌ１、Ｌ２を結合する結合部５と、通線用の通電金具３と、操作器１と電気錠４（＃１）、４（＃２）との間で相互の信号の信号形式を変換する電気錠アダプター２と、施錠、解錠操作と状態表示が行える操作器１とを含んで、構成されている。
【００３１】
この結合部５は、電気錠４（＃１）、４（＃２）のそれぞれの接点部４ａ（＃１）、４ａ（＃２）からの信号線Ｌ１、Ｌ２をとりまとめたもので、電気錠アダプター２との間を９線以下の信号線Ｌで接続できるように設けられたものである。後述するように、信号線Ｌ１、Ｌ２はタイプ別に５〜７線のものがあるが、両方の開戸閉戸状態信号および両方の施解錠状態信号を、結合部５で共通の開戸閉戸状態信号および共通の施解錠状態信号に結合する（とりまとめる）ことにより、電気錠アダプター２との間の信号線Ｌを９線以下にすることを可能としたものである。
【００３２】
このように、信号線を９線以下とすることで、２つの電気錠４（＃１）、４（＃２）を１つの通電金具３で接続することが可能となり、なおかつ、信号線を少なくすることにより施工性は向上する。
【００３３】
図２（ａ）、（ｂ）には、操作器１および電気錠アダプター２の各内部構成図を示している。なお、これらの図には結合部４、通電金具３は省略する。
【００３４】
操作器１は、内蔵する以下の各回路を制御するマイコン１ａ、電気錠の施錠、解錠などの操作押釦の入力回路１ｂ、施開錠、開戸閉戸などの状態表示用の表示回路１ｃ、電源回路１ｄ、電気錠を駆動するための制御信号を生成する電気錠駆動信号回路１ｅ、電気錠アダプター２との間の信号を送受信する伝送信号送受信回路１ｆを含んで構成されている。
【００３５】
また、電気錠アダプター２は、内蔵する以下の各回路を制御するマイコン２ａ、操作器１との間の信号を送受信する伝送信号送受信回路２ｂ、操作器１からの制御信号を電気錠４（＃１）、４（＃２）に対する信号形式の駆動信号に変換して電気錠４（＃１）、４（＃２）に対して送出する駆動信号制御回路２ｃ、電気錠４（＃１）、４（＃２）からの状態信号を受信する電気錠状態信号入力回路２ｄ、２ｅを含んで構成されている。
【００３６】
図３には、電気錠アダプター２、電気錠４間の配線をより具体的に表わしたブロック図を示している。（ａ）は結合部５を電気錠４の外部に設けたもので、（ｂ）は結合部５を一方の電気錠４（＃１）に内蔵したものである。なお、両者の構成は異なるが、同一の役割を有した各部には同一の符号を付している。
【００３７】
さらに図４には、電気錠４、結合部５間の信号線Ｌ１、Ｌ２の線数が異なる２つの形態（ａ）、（ｂ）を示している。なお、これらの図には、結合部５を外部に備えた、つまり図３（ａ）に対応したものを示しているが、図２（ｂ）に対応した内蔵型も電気的には同様であり、共通のものとして説明する。また、結合部以外の構成要素には共通の符号を付している。
【００３８】
（ａ）では、一方の電気錠４（＃１）とは電気錠駆動用および状態検知用の９線以下の信号線Ｌ１で接続され、他方の電気錠４（＃２）とは電気錠駆動用の２線の信号線Ｌ２で接続された結合部５ａが、電気錠アダプター２との間に設けられている。後述する第１例がこれに相当する。
【００３９】
また、（ｂ）では、一方の電気錠４（＃１）とは９線以下で接続され、他方の電気錠４（＃２）とは９線以下で接続された結合部５ａが、電気錠アダプター２との間に設けられている。後述する第２〜４例がこれに相当する。
【００４０】
これらの結合部５ａ、５ｂの結合態様について、以下に詳述する。
【００４１】
図５は、電気錠の接点部の４例を示した図である。
【００４２】
（ｅ）図は凡例を示したものであり、この図で示されているように、各ピンは駆動信号入力用、開戸閉戸状態信号出力用、施解錠状態信号出力用のものである。（ａ）は施錠、解錠別に状態出力用ピンを有し、計７ピンのものであり、（ｂ）は施錠のみのピンを有し、計６ピンのものであり、（ｃ）は開戸閉戸状態信号出力用と施解錠状態信号出力用とで共通のピンを有し、計６ピンのものであり、（ｄ）は開戸閉戸状態信号出力用と施解錠状態信号出力用とで共通のピンを有し、計６ピンのものである。以下には、説明の都合上、図５（ａ）〜（ｄ）のものは、それぞれＡタイプ、Ｂタイプ、Ｃタイプ、Ｄタイプと記載する。
【００４３】
図６には、Ａタイプに対応した結合部３の結合態様の第１例図を示している。
【００４４】
図に示すように、駆動信号については、電気錠４（＃１）、４（＃２）ともにピンが接続されているが、開戸閉戸状態信号および施解錠状態信号については、一方（ここでは、電気錠４（＃２））のピンは接続されず、他方（ここでは、電気錠４（＃１））のピンのみが接続され、共通の開戸閉戸状態信号および共通の施解錠状態信号を電気錠アダプター３に対して出力できるようになっている。
【００４５】
すなわち、電気錠４（＃１）は９線以下（７線）、電気錠４（＃２）は２線で接続され、これにより、信号線は合計９線となり、１つの通電金具で通線することが可能となる。
【００４６】
なお、この第１例では、上記の説明からも明らかなように、結合部５は信号の電気的な結合を行うものではなく、必要な信号線を選択し、とりまとめる役割を有している。
【００４７】
Ｂ〜Ｄタイプについては、図は省略するが、Ａタイプと同様に、一方の電気錠の開戸閉戸状態信号および施解錠状態信号用のピンについては接続されないため、結合部５と電気錠アダプター２との間の信号線Ｌは９線以下となる。
【００４８】
図７には、Ａタイプに対応した結合部３の結合態様の第２例図、第３例図および第４例図を示している。
【００４９】
第２例は、開戸閉戸状態信号は一方の電気錠のものを共通の開戸閉戸状態信号として使用し、施開錠状態信号は両方の電気錠の論理積（ＡＮＤ）を共通の施開錠状態信号として使用する。具体的には、たとえば（ａ）のように結合させることにより、信号線の線数は合計８線となり、１つの通電金具で接続可能なものとなる。なお、図中の数字１、２、４〜９はピン番号を示している。以下も同様である。
【００５０】
第３例は、開戸閉戸状態信号は一方の電気錠のものを共通の開戸閉戸状態信号として使用し、施開錠状態信号は両方の電気錠の論理和（ＯＲ）を共通の施開錠状態信号として使用する。具体的には、たとえば（ｂ）のように結合させることにより、信号線の線数は合計８線となり、１つの通電金具で接続可能なものとなる。
【００５１】
第４例は、開戸閉戸状態信号は一方の電気錠のものを共通の開戸閉戸状態信号として使用し、施開錠状態信号は共通の信号とはせず、両方の電気錠の信号を出力する。具体的には、たとえば（ｃ）のように結合させることにより、信号線の線数は合計８線となり、１つの通電金具で接続可能なものとなる。
【００５２】
第４例によれば、両方の電気錠の施錠、解錠状態を操作器１や電気錠アダプター２で検知することができるので、正確な施解錠状態を表示させることができる。また、たとえば、外部からピッキングにより一方の電気錠が解錠された場合でも、操作器１側では、その解錠された電気錠のみが解錠状態と検出され、他方は施錠状態のままであるため、そのような状態が一定時間継続した場合に異常操作と判断して警報出力することができ、さらに解錠された電気錠を強制施錠することもできる。
【００５３】
図８には、Ｂタイプに対応した第２例図（ａ）、第３例図（ｂ）、第４例図（ｃ）を示している。同様に図９、図１０は、Ｃタイプ、Ｄタイプに対応したものである。
【００５４】
いずれのタイプも、結合部５でとりまとめることにより信号線数は合計８線となり、１つの通電金具で接続可能なものとなる。
【００５５】
以上の第１例〜第４例で示した結合部５では、結線により信号線を９線以下にまとめているが、マイコンで行うようにしてもよい。すなわち、マイコンのプログラムで共通の開戸閉戸状態信号および共通の施開錠状態信号を生成するようにしてもよい。
【００５６】
また、図６〜図１０の説明では、同一タイプどうしの結合例を示しているが、異なるタイプの結合も可能としている。もちろん、その場合も結線による結合でもマイコンによる結合でもよい。
【実施例２】
【００５７】
図１１は、本発明の他の実施例である電動サムターン錠対応の２ロック電気錠システムの構成を示したブロック図である。（ａ）は結合部５０を電動サムターン錠４０とは別に設けたもので、（ｂ）は結合部５０を一方の電動サムターン錠４０（＃１）に内蔵したものである（図の都合上、結合部５０は４１に含まれるように記載されているが、実際には電動サムターン錠４０に内蔵されている）。なお、両者の構成は異なるが、同一の役割を有した各部には同一の符号を付している。また、符号４１、４１は機械式の錠を示している。
【００５８】
このシステムは、２つの電動サムターン錠４０（＃１）、４０（＃２）と、電動サムターン錠４０および扉センサＳから導出された信号線を結合する結合部５０と、通線用の通電金具３と、信号形式を変換する電気錠アダプター２と、施錠、解錠操作と状態表示が行える操作器（不図示）とを含んで、構成されている。
【００５９】
なお、この例に示した電動サムターン錠４０は扉Ｄの開閉を検出する構成とはなっておらず、扉Ｄの開戸閉戸を検出するために扉センサＳが設けられているが、扉Ｄの開閉を検出できる構成の電動サムターン錠であれば、このようなセンサＳは必要がない。
【００６０】
この結合部５０は、電動サムターン錠４０（＃１）、４０（＃２）のそれぞれの接点部（不図示）からの信号線をとりまとめたもので、電気錠アダプター２との間を９線以下の信号線Ｌで接続できるように設けられたものである。信号線Ｌ１、Ｌ２は５〜７線のものであるが、それぞれの開戸閉戸状態信号およびそれぞれの施解錠状態信号を、結合部５０で共通の開戸閉戸状態信号および共通の施解錠状態信号に結合する（とりまとめる）ことにより、電気錠アダプター２との間の信号線Ｌを９線以下にすることを可能としたものである。
【００６１】
このように、信号線を９線以下とすることで、１つの通電金具３で接続することが可能となり、施工性は向上する。
【００６２】
図１２は、結合部５０の結合態様について示した図である。実施例１の第１例に対応したものを示している。
【００６３】
この結合部５０によれば、実施例１の第１例と同様に信号線数は合計９線となる。
【００６４】
図には示していないが、実施例１の第２例、第３例、第４例と同様の結合も可能であり、信号線数は合計８線となる。
【００６５】
また、本実施例の結合部５０も、実施例１と同様にマイコンで構成するようにしてもよい。
【実施例３】
【００６６】
図１３は、本発明システムのさらに他の実施例を示したブロック図である。
【００６７】
本実施例システムは、２つの電気錠４（＃１）、４（＃２）と、電気錠４から導出された信号線を結合する結合部５と、通線用の通電金具３と、信号形式を変換する電気錠アダプター２０と、施錠、解錠操作と状態表示が行える操作器１とを含んで、構成されている。
【００６８】
図からも明らかなように、電気錠アダプター２０は一方の電気錠４（＃１）に内蔵されており、電気錠アダプター２０と操作器１とを結ぶ信号線が２線であるため、扉Ｄの内部にも２線のみを通線すればよく、もちろん通電金具も１つですみ、通線工事の施工性はきわめてよくなる。
【００６９】
また、図では結合部５を電気錠４の外部に設置しているが、一方の電気錠に内蔵させてもよい。
【００７０】
なお、結合部５の構成については実施例１と同様であるため、説明は割愛する。
【産業上の利用可能性】
【００７１】
以上に説明した本発明システムは、マンションや戸建の玄関扉に設置する、２ロック式の電気錠、電動サムターン錠に適用可能である。
【図面の簡単な説明】
【００７２】
【図１】本発明の実施例１を示す２ロック電気錠システムのブロック図である。
【図２】（ａ）、（ｂ）は、操作器、電気錠アダプターの各内部構成図である。
【図３】電気錠アダプター、電気錠間の配線をより具体的に表わした、実施例１のシステムブロック図である。
【図４】（ａ）、（ｂ）は、電気錠、結合部間の信号線の線数が異なる２つの形態を示した図である。
【図５】電気錠の接点部の４タイプを示した図である。
【図６】Ａタイプに対応した結合部の結合態様の第１例図である。
【図７】（ａ）、（ｂ）、（ｃ）は、Ａタイプに対応した結合部の結合態様の第２例図、第３例図および第４例図である。
【図８】（ａ）、（ｂ）、（ｃ）は、Ｂタイプに対応した結合部の結合態様の第２例図、第３例図および第４例図である。
【図９】（ａ）、（ｂ）、（ｃ）は、Ｃタイプに対応した結合部の結合態様の第２例図、第３例図および第４例図である。
【図１０】（ａ）、（ｂ）、（ｃ）は、Ｄタイプに対応した結合部の結合態様の第２例図、第３例図および第４例図である。
【図１１】本発明の他の実施例２を示す電動サムターン錠対応の２ロック電気錠システムの構成を示したブロック図である。
【図１２】実施例２の結合部の結合態様を示した図である。
【図１３】本発明システムの実施例３を示したブロック図である。
【図１４】従来の２ロック電気錠システムの構成を示した図である。
【符号の説明】
【００７３】
１・・・操作器
２、２０・・・電気錠アダプター
３・・・通電金具
４・・・電気錠
４ａ・・・接点部
４０・・・電動サムターン錠
５、５０・・・結合部
Ｌ、Ｌ１、Ｌ２・・・信号線
【図１】
2005048449.tif 000003
【図２】
2005048449.tif 000004
【図３】
2005048449.tif 000005
【図４】
2005048449.tif 000006
【図５】
2005048449.tif 000007
【図６】
2005048449.tif 000008
【図７】
2005048449.tif 000009
【図８】
2005048449.tif 000010
【図９】
2005048449.tif 000011
【図１０】
2005048449.tif 000012
【図１１】
2005048449.tif 000013
【図１２】
2005048449.tif 000014
【図１３】
2005048449.tif 000015
【図１４】
2005048449.tif 000016